(57)【要約】      （修正有）【課題】通行人が看板やデジタルサイネージに表示されている広告の情報に、通行人と表示装置との距離に関わらず、通行人の所有する端末からアクセスする仕組みを提供する。【解決手段】広告情報配信システムは、ユーザが所持するユーザ端末が表示装置と所定領域の範囲内において近距離無線通信を行う第一の通信と、第一の通信より広域な範囲において通信を行う第二の通信とを有する。リモートサーバは、第一の通信を用いて、所定領域の範囲内に位置するユーザ端末を検出し、表示内容の詳細情報を取得するためのアプリケーションをユーザ端末において起動させるトリガ信号を検出したユーザ端末に送信し、リモートサーバとユーザ端末との位置関係に応じて第一の通信又は第二の通信を用い、アプリケーションを介して入力されたユーザの操作情報をユーザ端末から取得し、アプリケーションから送信された広告要求に応じて詳細情報を送信する。【選択図】図１
2019046169.tif 000002
【特許請求の範囲】
【請求項１】
広告を表示する表示装置の表示内容に連携して動作するリモートサーバであって、
ユーザ端末を所持するユーザが所定領域の範囲内において近距離無線通信を行う第一の通信手段と、
前記第一の通信手段より広域な範囲において通信を行う第二の通信手段と、
前記第一の通信手段を用いて、前記所定領域の範囲内に位置するユーザ端末を検出し、前記表示内容の詳細情報を取得するためのアプリケーションを前記ユーザ端末において起動させるトリガ信号を、検出したユーザ端末に送信するトリガ手段と、
前記リモートサーバと前記ユーザ端末との位置関係に応じて前記第一の通信手段又は前記第二の通信手段を用い、前記アプリケーションを介して入力された前記ユーザの操作情報を前記ユーザ端末から取得する操作情報取得手段と、
前記リモートサーバと前記ユーザ端末との位置関係に応じて前記第一の通信手段又は前記第二の通信手段を用い、前記アプリケーションから送信された広告要求に応じて前記詳細情報を送信する広告情報通知手段と
を備えることを特徴とするリモートサーバ。
【請求項２】
前記所定領域の範囲とは、前記ユーザ端末を所有するユーザが前記表示装置に表示された広告を視認可能な領域の範囲であることを特徴とする請求項１に記載のリモートサーバ。
【請求項３】
前記トリガ手段は、さらに、
前記リモートサーバと前記ユーザ端末との間で前記第二の通信手段による通信を確立するために必要な情報を、前記第一の通信手段を用いて前記ユーザ端末に送信することを特徴とする請求項１又は２に記載のリモートサーバ。
【請求項４】
前記第二の通信手段を用いて、前記表示装置に表示される広告情報を保持する広告情報データベースに接続し、前記広告情報及び前記詳細情報の少なくとも一方を前記広告情報データベースから取得する広告情報取得手段をさらに備えることを特徴とする請求項１乃至３の何れか１項に記載のリモートサーバ。
【請求項５】
前記操作情報取得手段は、
前記第二の通信手段を用いて、前記操作情報を蓄積する操作情報データベースに接続し、前記ユーザ端末から取得した操作情報を前記操作情報データベースに保存することを特徴とする請求項１乃至４の何れか１項に記載のリモートサーバ。
【請求項６】
前記表示装置に表示されている前記表示内容の要旨を表示する表示手段をさらに備えることを特徴とする請求項１乃至５の何れか１項に記載のリモートサーバ。
【請求項７】
前記表示手段は、さらに、前記第一の通信手段による通信を確立するために必要な情報を表示することを特徴とする請求項６に記載のリモートサーバ。
【請求項８】
前記表示装置に表示されている前記表示内容に対応する音声を出力する音声出力手段をさらに備えることを特徴とする請求項１乃至７の何れか１項に記載のリモートサーバ。
【請求項９】
前記トリガ手段は、さらに、
前記表示内容に関連する広告情報を、前記第一の通信手段を用いて前記ユーザ端末に送信することを特徴とする請求項１乃至８の何れか１項に記載のリモートサーバ。
【請求項１０】
広告を表示する表示装置の表示内容に連携して動作するリモートサーバに接続して情報を取得するユーザ端末であって、
広告情報をユーザに通知するための出力手段と、
ユーザ入力を受け付けるための入力手段と、
前記リモートサーバに関連した所定領域の範囲内において前記リモートサーバと近距離無線通信を行う第一の通信手段と、
前記第一の通信手段より広域な範囲において通信を行う第二の通信手段と、
前記第一の通信手段を用いて、前記リモートサーバに接続し、受信したトリガ信号に応じて前記表示内容に連携した詳細情報を取得するためのアプリケーションを起動する起動手段と、
前記入力手段を介してユーザの操作情報を取得し、前記リモートサーバとの位置関係に応じて前記第一の通信手段又は前記第二の通信手段を用いて、取得した該操作情報を前記リモートサーバに通知する操作情報通知手段と、
前記リモートサーバとの位置関係に応じて前記第一の通信手段又は前記第二の通信手段を用いて前記リモートサーバから送信された前記詳細情報を受信するための広告情報受信手段と
を備えることを特徴とするユーザ端末。
【請求項１１】
ユーザ端末を所持するユーザが所定領域の範囲内において近距離無線通信を行う第一の通信手段と、前記第一の通信手段より広域な範囲において通信を行う第二の通信手段とを備え、広告を表示する表示装置の表示内容に連携して動作するリモートサーバの制御方法であって、
前記第一の通信手段を用いて、前記所定領域の範囲内に位置するユーザ端末を検出し、前記表示内容の詳細情報を取得するためのアプリケーションを前記ユーザ端末において起動させるトリガ信号を検出したユーザ端末に送信するトリガ工程と、
前記リモートサーバと前記ユーザ端末との位置関係に応じて前記第一の通信手段又は前記第二の通信手段を用い、前記アプリケーションを介して入力された前記ユーザの操作情報を前記ユーザ端末から取得する操作情報取得工程と、
前記リモートサーバと前記ユーザ端末との位置関係に応じて前記第一の通信手段又は前記第二の通信手段を用い、前記アプリケーションから送信された広告要求に応じて前記詳細情報を送信する広告情報通知工程と
を含むことを特徴とするリモートサーバの制御方法。
【請求項１２】
広告情報をユーザに通知するための出力手段と、ユーザ入力を受け付けるための入力手段と、リモートサーバに関連した所定領域の範囲内において前記リモートサーバと近距離無線通信を行う第一の通信手段と、前記第一の通信手段より広域な範囲において通信を行う第二の通信手段とを備え、広告を表示する表示装置の表示内容に連携して動作するリモートサーバに接続して詳細情報を取得するユーザ端末の制御方法であって、
前記第一の通信手段を用いて、前記リモートサーバに接続し、受信したトリガ信号に応じて前記表示内容に連携した詳細情報を取得するためのアプリケーションを起動する起動工程と、
前記入力手段を介してユーザの操作情報を取得し、前記リモートサーバとの位置関係に応じて前記第一の通信手段又は前記第二の通信手段を用いて、取得した該操作情報を前記リモートサーバに通知する操作情報通知工程と、
前記リモートサーバとの位置関係に応じて前記第一の通信手段又は前記第二の通信手段を用いて前記リモートサーバから送信された前記詳細情報を受信するための広告情報受信工程と
を含むことを特徴とするユーザ端末の制御方法。
【請求項１３】
ユーザ端末を所持するユーザが所定領域の範囲内において近距離無線通信を行う第一の通信手段と、前記第一の通信手段より広域な範囲において通信を行う第二の通信手段とを備え、広告を表示する表示装置の表示内容に連携して動作するリモートサーバの制御方法における各工程をコンピュータに実行させるためのプログラムであって、
前記第一の通信手段を用いて、前記所定領域の範囲内に位置するユーザ端末を検出し、前記表示内容の詳細情報を取得するためのアプリケーションを前記ユーザ端末において起動させるトリガ信号を検出したユーザ端末に送信するトリガ工程と、
前記リモートサーバと前記ユーザ端末との位置関係に応じて前記第一の通信手段又は前記第二の通信手段を用い、前記アプリケーションを介して入力された前記ユーザの操作情報を前記ユーザ端末から取得する操作情報取得工程と、
前記リモートサーバと前記ユーザ端末との位置関係に応じて前記第一の通信手段又は前記第二の通信手段を用い、前記アプリケーションから送信された広告要求に応じて前記詳細情報を送信する広告情報通知工程と
を含むことを特徴とするプログラム。
【請求項１４】
広告情報をユーザに通知するための出力手段と、ユーザ入力を受け付けるための入力手段と、リモートサーバに関連した所定領域の範囲内において前記リモートサーバと近距離無線通信を行う第一の通信手段と、前記第一の通信手段より広域な範囲において通信を行う第二の通信手段とを備え、広告を表示する表示装置の表示内容に連携して動作するリモートサーバに接続して詳細情報を取得するユーザ端末において動作するプログラムであって、
前記第一の通信手段を用いて、前記リモートサーバに接続し、受信したトリガ信号に応じて前記表示内容に連携した詳細情報を取得するためのアプリケーションを起動する起動工程と、
前記入力手段を介してユーザの操作情報を取得し、前記リモートサーバとの位置関係に応じて前記第一の通信手段又は前記第二の通信手段を用いて、取得した該操作情報を前記リモートサーバに通知する操作情報通知工程と、
前記リモートサーバとの位置関係に応じて前記第一の通信手段又は前記第二の通信手段を用いて前記リモートサーバから送信された前記詳細情報を受信するための広告情報受信工程と
を含むことを特徴とするプログラム。
【請求項１５】
広告を表示する表示装置と、前記表示装置の表示内容に連携して動作するリモートサーバと、該リモートサーバに接続して情報を取得するユーザ端末とを備え、表示装置の表示内容に連携した情報を配信するための広告情報配信システムであって、
前記リモートサーバは、
ユーザ端末を所持するユーザが所定領域の範囲内において近距離無線通信を行う第一の通信手段と、
前記第一の通信手段より広域な範囲において通信を行う第二の通信手段と、
前記第一の通信手段を用いて、前記所定領域の範囲内に位置するユーザ端末を検出し、前記表示内容の詳細情報を取得するためのアプリケーションを前記ユーザ端末において起動させるトリガ信号を、検出したユーザ端末に送信するトリガ手段と、
前記リモートサーバと前記ユーザ端末との位置関係に応じて前記第一の通信手段又は前記第二の通信手段を用い、前記アプリケーションを介して入力された前記ユーザの操作情報を前記ユーザ端末から取得する操作情報取得手段と、
前記リモートサーバと前記ユーザ端末との位置関係に応じて前記第一の通信手段又は前記第二の通信手段を用い、前記アプリケーションから送信された広告要求に応じて前記詳細情報を送信する広告情報通知手段と
を備え、
前記ユーザ端末は、
広告情報をユーザに通知するための出力手段と、
ユーザ入力を受け付けるための入力手段と、
前記リモートサーバに関連した所定領域の範囲内において前記リモートサーバと近距離無線通信を行う第三の通信手段と、
前記第三の通信手段より広域な範囲において通信を行う第四の通信手段と、
前記第三の通信手段を用いて、前記リモートサーバに接続し、受信したトリガ信号に応じて前記表示内容に連携した詳細情報を取得するためのアプリケーションを起動する起動手段と、
前記入力手段を介してユーザの操作情報を取得し、前記リモートサーバとの位置関係に応じて前記第三の通信手段又は前記第四の通信手段を用いて、取得した該操作情報を前記リモートサーバに通知する操作情報通知手段と、
前記リモートサーバとの位置関係に応じて前記第三の通信手段又は前記第四の通信手段を用いて前記リモートサーバから送信された前記詳細情報を受信するための広告情報受信手段と
を備えることを特徴とする広告情報配信システム。
【発明の詳細な説明】
【技術分野】
【０００１】
本発明は、リモートサーバ、ユーザ端末、それらの制御方法、プログラム、及び広告情報配信システムに関する。
【背景技術】
【０００２】
ビルの壁面などに設置される看板やデジタルサイネージ（電子看板）では、視聴者がどの広告メッセージにどの程度興味を持ったかという広告メッセージによる広告効果を取得することが困難であった。そのためこれまでは、看板を見たか見ていないかに関わらず、看板の前を通過する通行者の数を計測することで広告効果を推測していた。
【０００３】
また、広告を見て興味を持ったとしても、通行人が広告内容に関してより詳細な情報を入手することが困難であり、広告を見て携帯端末などで情報源にアクセスしないことが多く、広告の効果が充分に得られないという問題もあった。
【０００４】
例えば、特許文献１には、広告データを表示装置に表示し、付随データを通行人の携帯端末に送信するシステムが提案されている。
【先行技術文献】
【特許文献】
【０００５】
【特許文献１】特開2004-157499号公報
【発明の概要】
【発明が解決しようとする課題】
【０００６】
しかしながら、上記従来技術には以下に記載する課題がある。例えば、上記従来技術では、広告データを表示する表示装置の前を通行する全ての人に広告データを配信している。しかし、配信した先のユーザ端末における操作情報を収集しておらず、配信した先のユーザが広告データに興味を持ったか、或いは広告データのどの部分に興味を持ったかを判断することは困難である。操作情報を収集することは、広告メッセージを視聴したユーザに対する広告効果を評価するうえで非常に有用な情報となる。
【０００７】
また、デジタルサイネージ等の表示装置の前を通行する人は、当該表示装置との距離が常に変化するものである。従って、所定の通信範囲を有する通信方式を使用して、表示装置とユーザ端末との間で無線通信を行う場合、それらの間の距離に応じて当該通信が切断される可能性が高い。つまり、広告データを配信した後も継続的に操作情報を得るためには、広告データを受信した携帯端末が表示装置から離れた場合にも通信が可能であるように、必要に応じて通信方式を切り替えて通信を継続する必要がある。
【０００８】
本発明は、上述の問題に鑑みて成されたものであり、通行人が看板やデジタルサイネージに表示されている広告の情報に当該通行人の所有する端末からアクセスする仕組みを提供し、通行人と表示装置との距離に関わらずアクセスデータを好適に収集する仕組みを提供することを目的とする。
【課題を解決するための手段】
【０００９】
本発明は、例えば、広告を表示する表示装置の表示内容に連携して動作するリモートサーバであって、ユーザ端末を所持するユーザが所定領域の範囲内において近距離無線通信を行う第一の通信手段と、前記第一の通信手段より広域な範囲において通信を行う第二の通信手段と、前記第一の通信手段を用いて、前記所定領域の範囲内に位置するユーザ端末を検出し、前記表示内容の詳細情報を取得するためのアプリケーションを前記ユーザ端末において起動させるトリガ信号を、検出したユーザ端末に送信するトリガ手段と、前記リモートサーバと前記ユーザ端末との位置関係に応じて前記第一の通信手段又は前記第二の通信手段を用い、前記アプリケーションを介して入力された前記ユーザの操作情報を前記ユーザ端末から取得する操作情報取得手段と、前記リモートサーバと前記ユーザ端末との位置関係に応じて前記第一の通信手段又は前記第二の通信手段を用い、前記アプリケーションから送信された広告要求に応じて前記詳細情報を送信する広告情報通知手段と、を備えることを特徴とする。
【００１０】
また、本発明は、例えば、広告を表示する表示装置の表示内容に連携して動作するリモートサーバに接続して情報を取得するユーザ端末であって、広告情報をユーザに通知するための出力手段と、ユーザ入力を受け付けるための入力手段と、前記リモートサーバに関連した所定領域の範囲内において前記リモートサーバと近距離無線通信を行う第一の通信手段と、前記第一の通信手段より広域な範囲において通信を行う第二の通信手段と、前記第一の通信手段を用いて、前記リモートサーバに接続し、受信したトリガ信号に応じて前記表示内容に連携した詳細情報を取得するためのアプリケーションを起動するトリガ手段と、前記リモートサーバとの位置関係に応じて前記第一の通信手段又は前記第二の通信手段を用い、前記入力手段を介してユーザの操作情報を取得する操作情報取得手段と、前記リモートサーバとの位置関係に応じて前記第一の通信手段は前記第二の通信手段を用いて前記リモートサーバから送信された前記詳細情報を受信するための広告情報受信手段と、を備えることを特徴とする。
【００１１】
また、本発明は、広告を表示する表示装置と、前記表示装置の表示内容に連携して動作するリモートサーバと、該リモートサーバに接続して情報を取得するユーザ端末とを備え、表示装置の表示内容に連携した情報を配信するための広告情報配信システムであって、前記リモートサーバは、ユーザ端末を所持するユーザが所定領域の範囲内において近距離無線通信を行う第一の通信手段と、前記第一の通信手段より広域な範囲において通信を行う第二の通信手段と、前記第一の通信手段を用いて、前記所定領域の範囲内に位置するユーザ端末を検出し、前記表示内容の詳細情報を取得するためのアプリケーションを前記ユーザ端末において起動させるトリガ信号を、検出したユーザ端末に送信するトリガ手段と、前記リモートサーバと前記ユーザ端末との位置関係に応じて前記第一の通信手段又は前記第二の通信手段を用い、前記アプリケーションを介して入力された前記ユーザの操作情報を前記ユーザ端末から取得する操作情報取得手段と、前記リモートサーバと前記ユーザ端末との位置関係に応じて前記第一の通信手段又は前記第二の通信手段を用い、前記アプリケーションから送信された広告要求に応じて前記詳細情報を送信する広告情報通知手段とを備え、前記ユーザ端末は、広告情報をユーザに通知するための出力手段と、ユーザ入力を受け付けるための入力手段と、前記リモートサーバに関連した所定領域の範囲内において前記リモートサーバと近距離無線通信を行う第三の通信手段と、前記第三の通信手段より広域な範囲において通信を行う第四の通信手段と、前記第三の通信手段を用いて、前記リモートサーバに接続し、受信したトリガ信号に応じて前記表示内容に連携した詳細情報を取得するためのアプリケーションを起動する起動手段と、前記入力手段を介してユーザの操作情報を取得し、前記リモートサーバとの位置関係に応じて前記第三の通信手段又は前記第四の通信手段を用いて、取得した該操作情報を前記リモートサーバに通知する操作情報通知手段と、前記リモートサーバとの位置関係に応じて前記第三の通信手段又は前記第四の通信手段を用いて前記リモートサーバから送信された前記詳細情報を受信するための広告情報受信手段とを備えることを特徴とする。
【発明の効果】
【００１２】
本発明によれば、通行人が看板やデジタルサイネージに表示されている広告の情報に当該通行人の所有する端末からアクセスでき、通行人と表示装置との距離に関わらずアクセスデータを好適に収集することができる。
【図面の簡単な説明】
【００１３】
【図１】一実施形態に係る広告情報配信システムの構成を示す図である。
【図２】一実施形態に係るリモートサーバの構成を示す図である。
【図３】一実施形態に係る携帯端末の構成を示す図である。
【図４】一実施形態に係るシステムの全体シーケンスを示す図である。
【図５Ａ】一実施形態に係る携帯端末において実行されたアプリケーションの初期画面の一例を示す図である。
【図５Ｂ】一実施形態に係る携帯端末において実行されたアプリケーションの詳細情報確認画面の一例を示す図である。
【図６Ａ】一実施形態に係る広告情報データベースが蓄積する広告情報の一例を示す図である。
【図６Ｂ】一実施形態に係る操作情報データベースが蓄積する操作情報の一例を示す図である。
【図７Ａ】一実施形態に係る携帯端末においてアプリケーションが起動して終了するまでの処理手順を示すフローチャートである。
【図７Ｂ】一実施形態に係る携帯端末においてアプリケーションが操作情報を送信するための処理手順を示すフローチャートである。
【図７Ｃ】一実施形態に係る携帯端末においてアプリケーションが広告の詳細情報を受信するための処理手順を示すフローチャートである。
【図８Ａ】一実施形態に係るリモートサーバにおいてユーザが接続して切断するまでの処理手順を示すフローチャートである。
【図８Ｂ】一実施形態に係るリモートサーバにおいて携帯端末から操作情報を受信するための処理手順を示すフローチャートである。
【図８Ｃ】一実施形態に係るリモートサーバにおいて携帯端末に広告の詳細情報を送信するための処理手順を示すフローチャートである。
【発明を実施するための形態】
【００１４】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１５】
＜広告情報配信システムの構成＞
以下では、本発明の一実施形態について説明する。まず、図１を参照して、本実施形態に係る広告情報配信システムの構成例について説明する。なお、以下で説明するシステム構成は、本発明に適用されうる一例を示すものであり、本発明を限定する意図はなく、各コンポーネントの台数や種別を限定する意図はない。また、後述するサーバ等はその機能が分散して設けられてもよいし、複数のサーバが１台の装置で実現されてもよい。特に、リモートサーバ１０１、操作情報データベース１０５、広告情報データベース１０６、及び広告サーバ１０７は１台の情報処理装置（サーバ装置）で実現されてもよい。
【００１６】
本広告情報配信システムは、リモートサーバ１０１、表示装置１０２、携帯端末（ユーザ端末）１０３、操作情報データベース１０５、広告情報データベース１０６、及び広告サーバ１０７を含んで構成される。各装置は、ネットワーク１０４を介して相互通信可能に接続される。リモートサーバ１０１は、本システムを統括的に制御するためのサーバであり、携帯端末１０３のユーザが興味を持った広告の詳細情報（以下、詳細情報と称する。）を携帯端末１０３に配信するとともに、ユーザが携帯端末１０３に入力したデータ（以下、操作情報と称する。）を当該携帯端末１０３から取得することで広告の効果を評価するための情報を取得する。表示装置１０２は、ビル等の建造物に設置されるデジタルサイネージ等の表示装置であって、リモートサーバ１０１と関連した位置で広告を表示する。ここで、リモートサーバ１０１と関連した位置とは、例えば、リモートサーバ１０１が交差点などの通行人が多い場所に設置される場合は、交差点付近にある建造物の屋外壁面といった交差点からユーザが視認可能な位置である。なお、当該表示装置１０２は、屋外に設置されてもよいし、屋内に設置されてもよい。例えば、当該表示装置１０２及び当該リモートサーバ１０１がトイレ等の個室に設置されてもよいし、タクシー、バス、電車、航空機等の交通機関の機内に設置されてもよい。
【００１７】
操作情報データベース１０５は、携帯端末１０３から取得した当該携帯端末１０３を所有するユーザの操作情報を格納するデータベースである。なお、ここでは、操作情報データベース１０５には、携帯端末１０３に関する操作情報が格納される例について説明しているが、他の携帯端末における操作情報も格納されることは言うまでもない。広告情報データベース１０６は、表示装置１０２に表示された広告に関連する詳細情報や、当該詳細情報を閲覧可能なアクセス先の情報を格納するデータベースである。広告サーバ１０７は、（表示装置１０２に表示する広告が変更可能な場合には）広告を表示装置１０２に登録し、当該広告に関連する情報を広告情報データベース１０６に登録し、リモートサーバ１０１に広告情報が登録された旨を通知するサーバである。本明細書においては、リモートサーバ１０１から携帯端末１０３に対して初期に通知される、表示装置１０２に表示されている広告に関する情報であって、当該広告に関する詳細情報へのアクセス情報を含む情報を初期情報と称し、初期情報と詳細情報とを総称して広告情報と称する。
【００１８】
なお、操作情報データベース１０５又は広告情報データベース１０６はそれぞれ複数あってもよく、リモートサーバ１０１又は広告サーバ１０７の内部に設けられてもよいし、１台のリモートサーバ１０１又は１台の広告サーバ１０７によって操作情報データベース１０５及び広告情報データベース１０６の少なくとも１つの機能が実現されてもよい。また、リモートサーバは１つ以上の表示装置１０２に関連した広告情報を配信すればよく、１つの表示装置１０２に対して複数のリモートサーバ１０１が配置されてもよい。
【００１９】
携帯端末１０３は、ユーザ（通行人）が所有する装置であり、表示装置１０２に表示された広告内容にユーザが興味を持ち、広告内容に関連する詳細情報を取得する際に使用されるパーソナルコンピュータやスマートフォン等の携帯端末である。リモートサーバ１０１と携帯端末１０３とは近距離無線通信と広域ネットワークを介した通信とが可能であり、携帯端末１０３がリモートサーバ１０１に接近した際に、近距離無線通信を介して通信が確立され、操作情報及び広告情報の送受信が行われる。ユーザが通行人であって、通信確立後に当該近距離無線通信の通信範囲外に退出した場合でも操作情報及び広告情報の送受信が可能なように、携帯端末１０３は、近距離無線通信の接続断の後は広域ネットワークを介した通信に切り替えてリモートサーバ１０１と通信を継続することができる。
【００２０】
本システムにおいては、まず広告サーバ１０７に、表示装置１０２に表示すべき広告及び広告に関連する情報が、表示装置１０２の管理者によって登録される。広告サーバ１０７はネットワーク１０４を介して表示装置１０２に広告を設定して表示させ、広告情報データベース１０６に広告情報を登録するとともにリモートサーバ１０１に広告が登録されたことを通知する。すると、広告サーバ１０７から通知を受信したリモートサーバ１０１が広告情報データベース１０６にアクセスし、登録された広告に関する情報を取得して携帯端末１０３への配信を開始する。これにより、携帯端末１０３が、リモートサーバ１０１を介して広告情報へアクセスすることが可能になる。例えば、携帯端末１０３のユーザが歩行中に表示装置１０２に表示される広告を見て興味を持ち、広告映像や割引券といった広告情報を得るために携帯端末１０３を操作してリモートサーバ１０１へアクセスし、携帯端末１０３の画面で広告情報を確認することができる。
【００２１】
携帯端末１０３がユーザから受け付けた操作情報は、リモートサーバ１０１によって操作情報データベース１０５に送信されて蓄積される。これらの操作情報は、表示装置１０２に表示された広告の効果を判断するための材料として用いられてもよいし、表示装置１０２自体の効果を判断するための材料として用いられてもよい。
【００２２】
次に、図２及び図３を参照して、本実施形態に係るシステムに含まれる各装置の構成例について説明する。
【００２３】
＜リモートサーバの構成＞
まず、図２を参照して、リモートサーバ１０１の構成例について説明する。リモートサーバ１０１は、制御部２０１、近距離無線Ｉ／Ｆ２０２、及び広域ネットワークＩ／Ｆ２０３を備える。各コンポーネントはバス（不図示）を介して情報をやり取りすることができる。制御部２０１はさらに、トリガ部２１１、操作情報取得部２１２、広告情報通知部２１３、及び切替部２１４を備える。
【００２４】
近距離無線Ｉ／Ｆ２０２は、ＬＡＮ（近距離無線通信）を介して携帯端末と接続可能である。近距離無線通信 は、リモートサーバ１０１と関連した位置を通信範囲としてリモートサーバ１０１が携帯端末１０３と通信を行うために使用される。近距離無線通信は、例えば、ＩＥＥＥ  ８０２．１１規格に準拠した無線ＬＡＮ（Ｗｉ−Ｆｉ）やＢｌｕｅｔｏｏｔｈ（登録商標）、ＮＦＣや赤外線通信など、所定範囲内で通信可能な通信方法であればよい。通信範囲としては、例えば、表示装置１０２がビルの屋上に設置されている場合、当該表示装置１０２をユーザが視認可能な範囲として、ビルの手前の交差点を含む領域として設定される。
【００２５】
広域ネットワークＩ／Ｆ２０３は、広域ネットワークを介して操作情報データベース１０５及び広告情報データベース１０６に接続される。広域ネットワークは、近距離無線通信より広域な通信範囲を持つ無線通信または有線通信の手法である。例えば、ＬＴＥやＬＴＥ−Ａといったセルラネットワーク、衛星通信、及びイーサネット（登録商標）などの通信方法が考えられる。近距離無線通信でリモートサーバ１０１と携帯端末１０３との接続を確立した後にユーザが移動して近距離無線通信の通信範囲から退出した後、携帯端末１０３が広域ネットワークを用いて操作情報をリモートサーバ１０１に送信することが考えられる。したがって、接続確立後は、近距離無線通信の接続断などの通信状況や、リモートサーバ１０１と携帯端末（ユーザ端末）１０３との位置状況に応じて、切替部２１４が通信方法を切り替えて近距離無線Ｉ／Ｆ２０２又は広域ネットワークＩ／Ｆ２０３を介して広告情報や操作情報を送受信することが望ましい。
【００２６】
トリガ部２１１は、近距離無線Ｉ／Ｆ２０２を介して、リモートサーバ１０１と通信する携帯端末１０３にトリガ信号を送信する。例えば、携帯端末１０３がスマートフォン等の場合、トリガ信号の受信によって携帯端末１０３上のアプリケーションを起動してよい。例えば、近距離無線通信にＷｉ−ＦｉやＢｌｕｅｔｏｏｔｈなどを用いる場合、リモートサーバ１０１はアクセスポイントモードでビーコン信号を送信し、ビーコン信号を受信した携帯端末１０３が接続を確立するプロセス（ペアリングなど）を携帯端末１０３の検出として用いてよい。また、ビーコン信号を用いず、例えば近距離無線通信にＮＦＣなどを用いる場合、リモートサーバ１０１の近距離無線Ｉ／Ｆ２０２が携帯端末１０３の近距離無線Ｉ／Ｆ３０２のポーリングを行い、携帯端末１０３の検出及びトリガ信号の送信を実現してもよい。
【００２７】
＜携帯端末の構成＞
続いて、図３を参照して、本実施形態に係る携帯端末１０３の構成例について説明する。携帯端末１０３は、制御部３０１、近距離無線Ｉ／Ｆ３０２、広域ネットワークＩ／Ｆ３０３、出力部３０４、及び入力部３０５を備える。
【００２８】
制御部３０１はさらに、アプリ３１０及びトリガ受信部３１１を含む。トリガ受信部３１１は、リモートサーバ１０１からトリガ信号を受信した際にアプリ３１０を起動する。アプリ３１０はさらに、切替部３２１、広告情報受信部３２２、及び操作情報通知部３２３を備える。アプリ３１０は起動後に、近距離無線通信Ｉ／Ｆ３０２を介してリモートサーバ１０１と通信を確立し、入力部３０５を介して取得したユーザの操作情報（ユーザ入力）を近距離無線Ｉ／Ｆ３０２又は広域ネットワークＩ／Ｆ３０３を介してリモートサーバ１０１に送信するとともに、近距離無線Ｉ／Ｆ３０２又は広域ネットワークＩ／Ｆ３０３を介してリモートサーバ１０１から受信した詳細情報を出力部３０４に出力する。アプリ３１０は、例えば、ＲＯＭ等に記憶され、ＲＡＭ等に展開されることで制御部３０１によって実行されるアプリケーションであってよい。また、アプリ３１０は、例えば、携帯端末１０３がリモートサーバ１０１に接続するたびにトリガ信号とともにリモートサーバ１０１から受信するアプリケーションであってもよい。この場合、アプリ３１０は例えばＷｅｂブラウザ上で動作してもよい。
【００２９】
近距離無線Ｉ／Ｆ３０２はＬＡＮを介してリモートサーバ１０１と接続可能である。ユーザの移動などで近距離無線通信の通信範囲外に移動した場合、携帯端末１０３は切替部３２１で通信方式を広域ネットワークＩ／Ｆ３０３を介した通信に切り替えて通信を継続する。広域ネットワークＩ／Ｆ３０３はネットワーク１０４を介してリモートサーバ１０１と接続可能である。ここで、切替部３２１はアプリ３１０に含まれるものとして示されているが、制御部３０１に含まれてアプリ３１０に含まれない形態で実現されてもよく、制御部３０１に含まれない形態で実現されてもよい。
【００３０】
上述ような切替部３２１を用いて、広告情報受信部３２２と操作情報通知部３２３は以下に示す処理を制御する。広告情報受信部３２２は、リモートサーバ１０１と携帯端末１０３との間の距離に応じて、近距離無線Ｉ／Ｆ３０２又は広域ネットワークＩ／Ｆ３０３を用いて、リモートサーバ１０１から詳細情報などの広告情報を受信し、出力部３０４に受信した詳細情報を出力する。また、操作情報通知部３２３は、リモートサーバ１０１と携帯端末１０３との間の距離に応じて、近距離無線Ｉ／Ｆ３０２又は広域ネットワークＩ／Ｆ３０３を介して、入力部３０５を介して取得したユーザの操作情報をリモートサーバ１０１に通知する。
【００３１】
出力部３０４は、情報を表示するディスプレイを含む。加えて、音声出力やバイブレーション機能などを含んでもよい。入力部３０５は、ユーザ入力を受け付けるユーザインタフェースであり、ポインティングデバイスやハードウェアキーを備えてもよい。また、音声入力が可能であってもよい。さらに、入力部３０５は、例えばディスプレイ上を操作されたことを感知するタッチパネル式の入力デバイスを備えてもよい。
【００３２】
＜全体シーケンス＞
次に、図４を参照して、本実施形態に係る広告情報配信システムの全体シーケンスについて説明する。なお、ここでは、携帯端末１０３が、リモートサーバ１０１からトリガ信号及び初期情報を受信し、その後に、リモートサーバ１０１と携帯端末１０３との間で、操作情報や詳細情報を送受信する際の流れについて説明する。ここでは、近距離無線通信にはＩＥＥＥ  ８０２．１１規格に準拠した無線ＬＡＮが用いられるものとして説明を行うが、前述したように、所定領域内で通信可能な他の近距離無線通信方式が適用されてもよい。
【００３３】
ステップＳ４０１で、携帯端末１０３は、リモートサーバ１０１が送信しているビーコンを近距離無線Ｉ／Ｆ３０２を介して検出する。ここで、ビーコンとは、ＩＥＥＥ  ８０２．１１規格におけるビーコンであってよく、リモートサーバ１０１によって定期的にブロードキャスト送信されるものである。例えば、携帯端末１０３を所有するユーザが表示装置１０２を視認可能な位置であって、リモートサーバ１０１と近距離無線通信を行うことができる所定の範囲に侵入した際に、携帯端末１０３は当該ビーコンを検出することができる。ステップＳ４０２で、携帯端末１０３は、近距離無線Ｉ／Ｆ３０２を介してビーコンを送信するリモートサーバ１０１に接続要求を送信する。そして、ステップＳ４０３で、リモートサーバ１０１は、携帯端末１０３に広告情報及び操作情報を送受信するためのアプリ３１０を起動させるトリガ信号を近距離無線Ｉ／Ｆ２０２を介して送信する。
【００３４】
なお、ここでは、携帯端末１０３が近距離無線Ｉ／Ｆ３０２を介してリモートサーバ１０１を検出できるよう、リモートサーバ１０１が近距離無線Ｉ／Ｆ２０２を介してビーコンを定期的に送信するものとするが、携帯端末１０３が近距離無線Ｉ／Ｆ３０２を介してビーコンを送信し、リモートサーバ１０１が近距離無線Ｉ／Ｆ２０２を介して携帯端末１０３を検出してもよい。
【００３５】
ステップＳ４０３で、携帯端末１０３が近距離無線Ｉ／Ｆ３０２を介してトリガ信号を受信すると、携帯端末１０３は広告情報及び操作情報を送受信するために、ステップＳ４０４でアプリ３１０を起動する。アプリ３１０は、ＲＯＭ（Ｒｅａｄ  Ｏｎｌｙ  Ｍｅｍｏｒｙ）（不図示）に記憶されたプログラムをＲＡＭ（Ｒａｎｄｏｍ  Ａｃｃｅｓｓ  Ｍｅｍｏｒｙ）上に展開することで実現されてよい。または、リモートサーバ１０１から受信したプログラムをＲＡＭ（Ｒａｎｄｏｍ  Ａｃｃｅｓｓ  Ｍｅｍｏｒｙ）上に展開することで実現されてもよい。ステップＳ４０４でアプリ３１０が起動されると、ステップＳ４０５で、アプリ３１０は、近距離無線Ｉ／Ｆ３０２を介してリモートサーバ１０１に端末情報を送信する。ここで、端末情報はユーザによって予め設定されたユーザに関する情報であってもよいし、シリアル番号、電話番号やＭＡＣアドレスなどの携帯端末１０３に関する情報であってもよい。
【００３６】
ステップＳ４０６で、リモートサーバ１０１は、近距離無線Ｉ／Ｆ２０２を介して携帯端末１０３に初期情報を送信する。初期情報は、初期画面として出力部３０４に表示するための情報であり、例えば表示装置名や表示装置１０２に表示されている広告に関連した文字、画像、又は動画を含む。また、初期情報は広域ネットワークＩ／Ｆ３０２を介してリモートサーバ１０１にアクセスするために必要なアドレス等を含む。初期情報の少なくとも一部は携帯端末１０３に予め保存されてもよい。次に、ステップＳ４０８で、携帯端末１０３のアプリ３１０は受信した初期情報を用いて初期画面を出力部３０４に表示する。
【００３７】
ここで、図５Ａを参照して初期画面の一例について説明する。図５Ａに示す初期画面は、広告に興味を持ったユーザが、表示装置１０２に表示された広告に関する詳細情報を取得するための画面である。初期画面は、広告一覧５０１及び動作一覧５０２を含む。広告一覧５０１は、初期情報に含まれる表示装置１０２に表示された広告のサムネイル画像や文字を含む。図５Ａに示すように、表示装置１０２に複数の広告が登録されている場合は、広告一覧５０１に複数の広告が表示されてよい。しかしながら、表示装置１０２に登録される広告全てが広告一覧５０１に一度に表示される必要はなく、広告一覧５０１に表示される広告の数は１つ以上であればよい。
【００３８】
動作一覧５０２には、広告一覧５０１に表示される広告のうち１つの広告に対して行うことが可能な動作一覧が表示される。例えば、広告一覧５０１に表示される広告の１つの詳細情報が動画を含む場合、動画を閲覧する動作が動作一覧５０２に含まれてよい。また、例えば表示装置１０２に表示された広告が商品に関するものであって、近くに売り場があることが詳細情報に含まれる場合には、売り場の情報の取得も動作一覧５０２に含まれてよい。また、本発明を図５Ａに示す構成に限定する意図はなく、広告に関連する情報を取得する種々の動作が含まれてもよい。また、動作一覧５０２は複数あってもよく、例えば広告一覧５０１に表示された広告ごとに動作一覧５０２が表示されてよい。
【００３９】
図４の説明に戻る。ステップＳ４０９で、アプリ３１０は入力部３０５を介してユーザからの操作を受け付ける。例えば、アプリ３１０は、複数の広告の動作一覧５０２を閲覧するために広告一覧５０１上の操作を受け付けてもよいし、特定の広告に対して詳細情報を取得するために動作一覧５０２上の操作を受け付けてもよい。いずれの操作に対しても、アプリ３１０は入力部３０５への入力を取得する。
【００４０】
ステップＳ４１０で動作一覧５０２上の詳細情報を取得するユーザ操作を受け付けると、ステップＳ４１１で、アプリ３１０は、これまでに入力された操作情報を近距離無線Ｉ／Ｆ３０２を介してリモートサーバ１０１に送信する。従って、携帯端末１０３は、入力部３０５を介して受け付けたユーザ操作の履歴情報をＲＯＭ（不図示）等に保持しておくことが望ましい。ステップＳ４１２で、リモートサーバ１０１は近距離無線Ｉ／Ｆ２０２を介して受信した操作情報を操作情報データベース１０５に蓄積するとともに、操作情報の中に詳細情報の要求が含まれていることをステップＳ４１３で判断する。続いてステップＳ４１４で、リモートサーバ１０１は、広告情報取得手段として機能し、要求された詳細情報を取得すべく広域ネットワークＩ／Ｆ２０３を介して広告情報データベース１０６と通信し、ステップＳ４１５で広域ネットワークＩ／Ｆ２０２を介して広告情報データベース１０６から詳細情報を受信する。ステップＳ４１６で、リモートサーバ１０１は広告情報データベース１０６から取得した詳細情報を近距離無線Ｉ／Ｆ２０２を介して携帯端末１０３に送信する。ステップＳ４１７で、携帯端末１０３のアプリ３１０は近距離無線Ｉ／Ｆ３０２を介して受信した詳細情報を用いて出力部３０４に出力する画面を更新する。なお、ここでは、リモートサーバ１０１が携帯端末１０３に対して詳細情報そのものを送信しているが、詳細情報を閲覧するためのＵＲＬ等のアクセス情報を携帯端末１０３に送信してもよい。この場合、携帯端末１０３は、当該アクセス情報を用いて、別のサーバ等にアクセスすることにより詳細情報を取得する。これにより、リモートサーバ１０１が送信する情報量を低減することができ、リモートサーバ１０１の負荷を軽減するとともに、ユーザ操作に対する応答速度を改善することができる。
【００４１】
ここで、図５Ｂを参照して詳細情報を用いて画面更新を行った後の画面の一例を説明する。図５Ｂに示す画面は、図５Ａにおいてアプリ３１０が広告映像を閲覧する操作を受け付けた際の画面である。一実施形態においては、動画プレイヤー５１１が広告一覧５０１又は動作一覧５０２上にオーバーレイ表示される。ここで、携帯端末１０３が受信した詳細情報は、動画そのものであってもよく、又はストリーミング動画を視聴するためのアドレスであってもよい。詳細情報がストリーミング動画を視聴するためのアドレスである場合、ストリーミング動画を提供するストリーミングサーバとしての機能を広告情報データベース１０６が有してもよい。或いは、ストリーミングサーバを別個に用意してもよく、ストリーミングサービスを用いてストリーミング動画を提供してもよい。
【００４２】
図４の説明に戻る。ステップＳ４１８で、アプリ３１０は入力部３０５を介してユーザ操作を受け付ける。例えば、アプリ３１０は広告映像を視聴する操作や、図５Ｂの広告一覧５０１上の別の広告を選択する操作を受け付けうる。いずれの場合も、アプリ３１０は、入力部３０５への入力を取得する。次に、ステップＳ４１９で、アプリ３１０が詳細情報を取得するユーザ操作を受け付ける。その後、ステップＳ４２０で、携帯端末１０３は操作情報を近距離無線Ｉ／Ｆ３０２を介してリモートサーバ１０１に送信する。しかし、ここでは、Ｓ４２０において、近距離無線通信の接続断によって当該送信が失敗する場合を説明する。リモートサーバ１０１への送信が複数回失敗したり、リモートサーバ１０１からの応答が所定時間以上を超えて受信できない場合には、近距離無線Ｉ／Ｆ３０２はリモートサーバ１０１との近距離無線通信による接続が切断されたと判断してもよい。近距離無線Ｉ／Ｆ３０２が接続断と判断した場合、ステップＳ４２１でアプリ３１０は近距離無線Ｉ／Ｆ３０２から圏外通知を受け取る。ここで、近距離無線Ｉ／Ｆ３０２によって接続断と判断される場合について説明を行っているが、近距離無線Ｉ／Ｆ３０２は送信失敗や応答時間を制御部３０１に通知し、制御部３０１が接続断と判断してもよい。
【００４３】
次に、ステップＳ４２２で、アプリ３１０は近距離無線Ｉ／Ｆ３０２から広域ネットワークＩ／Ｆ３０３に通信部を切り替えて、広域ネットワークＩ／Ｆ３０３を介して操作情報をリモートサーバ１０１に送信する。ここで、アプリ３１０は端末情報をリモートサーバ１０１に送信するステップＳ４０５と同様の工程を再度広域ネットワークＩ／Ｆ３０３を介して実行することが望ましい。広域ネットワークＩ／Ｆ２０３を介して操作情報を受信したリモートサーバ１０１は、携帯端末１０３との接続方式を切り替え、ステップＳ４１２からステップＳ４１５と同様の動作を広域ネットワークＩ／Ｆ２０３を介してステップＳ４２３からステップＳ４２６で行う。ステップＳ４２７で、リモートサーバ１０１は広域ネットワークＩ／Ｆ２０３を介して詳細情報を携帯端末１０３に送信し、携帯端末１０３のアプリ３１０は受信した詳細情報を用いてステップＳ４２８で画面更新を行う。
【００４４】
次に、ステップＳ４２９で、アプリ３１０は入力部３０５を介して終了を指示するユーザ操作を受け付ける。その場合、ステップＳ４３１で、アプリ３１０は広域ネットワークＩ／Ｆ３０３を介して操作情報をリモートサーバ１０１に送信する。ステップＳ４３２で、リモートサーバ１０１は受信した操作情報を操作情報データベース１０５に格納する。ステップＳ４３３ で、アプリ３１０は広域ネットワークＩ／Ｆ３０３を介してリモートサーバ１０１からの応答を受信した後に、ステップＳ４３４でアプリ３１０を終了し、本シーケンスを終了する。また、アプリ３１０は操作情報をＲＯＭ等に保存しておき、再度アプリ３１０が起動して、同一又は別のリモートサーバ１０１と接続した際に前回の操作情報の一部を送信してもよい。これにより、アプリの終了命令に対する応答速度を改善することができる。
【００４５】
＜広告情報＞
次に、図６Ａを参照して、広告情報データベース１０６に蓄積される広告情報の一例を説明する。一実施形態において、広告情報は、リモートサーバＩＤ６０１、広告ＩＤ６０２、初期情報アドレス６０３、広告アドレス６０４、クーポンアドレス６０５、及び店舗情報アドレス６０６を含む。リモートサーバＩＤ６０１は、リモートサーバ１０１が有する固有の識別子（ＩＤ）である。あるリモートサーバＩＤ６０１を有するリモートサーバ１０１がどの表示装置１０２と対応しているかが判断可能であることが好ましい。広告ＩＤ６０２は、リモートサーバ１０１によって配信される広告に紐づいたＩＤであって、広告ＩＤ６０２や、リモートサーバＩＤ６０１と広告ＩＤ６０２との組み合わせなどによって広告が一意に特定できればよい。初期情報アドレス６０３は、初期情報として送信され、携帯端末１０３のアプリ３１０の初期画面に表示される情報又はそのアドレスである。広告アドレス６０４は、詳細情報に含まれる、広告の情報源（映像、Ｗｅｂページ等）又はそのアドレスである。クーポンアドレス６０５は、詳細情報に含まれる、割引券（画像、Ｗｅｂページなど）又はそのアドレスである。店舗情報アドレス６０６は、詳細情報に含まれる、広告に関連した商品の売り場を示す位置情報又はＷｅｂページ又はそのアドレスである。詳細情報は広告に興味を持ったユーザが取得したい情報であればよく、例えばＷｅｂ通販サイトのアドレスや、別のアプリケーションのダウンロードが可能なリンクなども含みうる。
【００４６】
＜操作情報＞
次に、操作情報について説明する。アプリ３１０が入力部３０５からの入力を用いて生成する操作情報は、どの広告に対してどのような操作が行われたかという情報を含んでよい。一例として、操作情報はユーザＩＤ、リモートサーバＩＤ、日時、広告ＩＤ、及び操作タイプを含む。ここで、リモートサーバＩＤ及び広告ＩＤは、上記広告情報データベース１０６におけるリモートサーバＩＤ及び広告ＩＤとそれぞれ同じ形式であってよい。ユーザＩＤは端末情報、端末情報から生成されるＩＤ、又はアプリが有するＩＤなどである。日時は、アプリ３１０が入力部３０５を介して操作を取得した日時である。操作タイプは、動作一覧５０２を閲覧する広告を切り替えるための広告一覧５０１上の「広告の選択」や詳細情報を取得するための動作一覧５０２上の「詳細情報取得」など、広告に興味を持ったユーザによって入力部３０５を介して行われる操作であればよい。
【００４７】
一実施形態においては、 操作情報データベース１０５に保存される操作情報は、アプリ３１０が入力部３０５を介して取得した操作情報を、携帯端末１０３、リモートサーバ１０１、又は操作情報データベース１０５が加工したものであってもよい。
【００４８】
ここで、図６Ｂを参照して、操作情報データベース１０５に蓄積される操作情報の一例を説明する。一実施形態において、操作情報は、一定期間内に生じたユーザの操作に対応する、ユーザＩＤ６１１、接続サーバＩＤ６１２、開始日時６１３、終了日時６１４、閲覧した広告ＩＤ６１５、及び詳細情報広告ＩＤ６１６を含む。開始日時６１３は、例えばアプリ３１０が起動してリモートサーバ１０１に接続した直後の日時である。終了日時６１４は、例えばアプリ３１０が入力部３０５を介して終了する操作を受け付けた時刻又はアプリ３１０のタイムアウトが生じた時刻である。閲覧した広告ＩＤ６１５は、例えば図５Ａの動作一覧５０２に動作一覧を表示した広告の広告ＩＤ６０２である。詳細情報広告ＩＤ６１６は、例えば図５Ａの動作一覧５０２で詳細情報を取得する操作を受け付けた広告ＩＤである。一実施形態においては、操作情報は、携帯端末が備えるグローバルポジショニングシステム（ＧＰＳ）等の衛星測位システム（不図示）等によって取得された位置情報を含んでよい。
【００４９】
＜携帯端末の処理手順＞
次に、図７Ａ乃至図７Ｃを使用して、携帯端末１０３の処理手順について説明を行う。以下で説明する処理は、例えば携帯端末１０３の制御部３０１がＲＯＭ等に予め格納された制御プログラムをＲＡＭ等に読み出して実行することにより実現される。
【００５０】
ステップＳ７０１で、制御部３０１は、所定領域範囲内にリモートサーバ１０１が検出されるまで待機する。この判断は、リモートサーバ１０１から送信されたビーコンなどの信号を受信することで行われる。ステップＳ７０１で携帯端末１０３が近距離無線Ｉ／Ｆ３０２を介してリモートサーバ１０１を検出すると、ステップＳ７０２で、制御部３０１は近距離無線Ｉ／Ｆ３０２を制御してリモートサーバ１０１との接続を確立する。ステップＳ７０３で、制御部３０１は近距離無線Ｉ／Ｆ３０２を介してリモートサーバ１０１からトリガ信号を受信し、アプリ３１０を起動する。上述したように、ステップＳ７０１乃至ステップＳ７０３は近距離無線Ｉ／Ｆ３０２を介したリモートサーバ１０１への接続とアプリ３１０の起動ができればよく、例えばリモートサーバ１０１が近距離無線Ｉ／Ｆ２０２を介して送信しているビーコン自体をトリガ信号として扱うなどの変形が可能である。
【００５１】
ステップＳ７０４で、アプリ３１０は広域ネットワークＩ／Ｆ３０３を介してリモートサーバ１０１との接続確立に必要な情報及び表示装置１０２に表示されている広告に関する情報を含む初期情報をリモートサーバ１０１から受信する。当該初期情報に含まれる接続確立に必要な情報は、リモートサーバ１０１のアドレスであってもよい。ステップＳ７０５で、アプリ３１０は近距離無線Ｉ／Ｆ３０２を介して受信した初期情報を用いて出力部３０４に初期画面を表示する。本発明は、これに限定されず、例えば、初期情報を広域ネットワークＩ／Ｆ３０３を介して広告情報データベース１０６又は別のサーバから取得してもよいし、初期情報を携帯端末１０３のＲＯＭ等に保存しておいてアプリ３１０の起動時に読み出してもよい。
【００５２】
続いて、ステップＳ７０６で、アプリ３１０は携帯端末１０３と近距離無線通信が可能な所定領域範囲内にリモートサーバ１０１が存在するか判断する。アプリ３１０がリモートサーバ１０１は所定領域範囲内に存在すると判断した場合、アプリ３１０は引き続き近距離無線Ｉ／Ｆ３０２を介して以降の送受信を行うため、通信を切り替えることなくＳ７０８に進む。一方、そうでない場合は、ステップＳ７０７で、アプリ３１０は切替部３２１を制御し、広域ネットワークＩ／Ｆ３０３を介してリモートサーバ１０１との接続を行い、ステップＳ７０８に進む。
【００５３】
ステップＳ７０８で、アプリ３１０は近距離無線Ｉ／Ｆ３０２又は広域ネットワークＩ／Ｆ３０３を介して操作情報の送信を行う。ここで、図７Ｂを参照して操作情報の送信の詳細な処理手順を説明する。ステップＳ７０８１で、アプリ３１０は入力部３０５を介して所定の時間だけ操作情報を取得する。続いて、ステップＳ７０８２で、アプリ３１０は、取得した操作情報の中に詳細情報の取得要求があるか、又は操作を始めて一定時間が経過したかを判断する。詳細情報の取得要求がある、又は一定時間の経過があると判断された場合、アプリ３１０はステップＳ７０８３に進み、操作情報を近距離無線Ｉ／Ｆ３０２又は広域ネットワークＩ／Ｆ３０３を介してリモートサーバ１０１に送信する。そうでない場合は、アプリ３１０はステップＳ７０８を終了してステップＳ７０９に進む。
【００５４】
ステップＳ７０９で、アプリ３１０は近距離無線Ｉ／Ｆ３０２又は広域ネットワークＩ／Ｆ３０３を介して詳細情報の受信を行う。ここで、図７Ｃを参照してステップＳ７０９の詳細な処理手順を説明する。ステップＳ７０９１で、アプリ３１０は、近距離無線Ｉ／Ｆ３０２又は広域ネットワークＩ／Ｆ３０３を介してリモートサーバ１０１から詳細情報を受信したか否かを判断する。ステップＳ７０８２で詳細情報の取得要求を送信していないと判断した場合、アプリ３１０は、後述するステップＳ７０９２の処理を実行することなく、ステップＳ７０９の処理を終了する。一方、詳細情報の取得要求を送信していると判断した場合、ステップＳ７０９２に進み、アプリ３１０は、近距離無線Ｉ／Ｆ３０２又は広域ネットワークＩ／Ｆ３０３を介して受信した詳細情報を用いて出力部３０４に出力する画面の更新を行い、ステップＳ７０９の処理を終了する。 
次に、ステップＳ７１０に進み、アプリ３１０は、一定期間内に入力部３０５を介した操作をアプリ３１０が受信したか否かを判断する。受信した場合、アプリ３１０はステップＳ７０６に戻る。一方、一定期間内に操作を受信していない場合（タイムアウト）、アプリ３１０は、ステップＳ７１０の処理を終了し、全体処理を終了する。
【００５５】
＜リモートサーバの処理手順＞
次に、図８Ａ乃至図８Ｃを使用して、リモートサーバ１０１の処理手順について説明を行う。以下で説明する処理は、例えばリモートサーバ１０１の制御部２０１がＲＯＭ等に予め格納された制御プログラムをＲＡＭ等に読み出して実行することにより実現される。 
ステップＳ８０１で、リモートサーバ１０１は、携帯端末１０３から近距離無線通信を介した接続があるまで待機する。この判断は、リモートサーバ１０１がビーコンなどのブロードキャスト信号を送信しながら行われる。ステップＳ８０１で、リモートサーバ１０１が近距離無線Ｉ／Ｆ２０２を介して携帯端末１０３からの接続があったことを検出すると、ステップＳ８０２で、トリガ部２１１は携帯端末１０３にトリガ信号を送信し、携帯端末１０３のアプリ３１０を起動させる。ここで、携帯端末１０３がビーコンを送信するよう構成されている場合は、リモートサーバ１０１がビーコンを検出して携帯端末１０３に接続要求を送信してもよい。
【００５６】
ステップＳ８０３で、リモートサーバ１０１は、広域ネットワークＩ／Ｆ２０３を介して通信するために必要な情報及び表示装置１０２に表示されている広告に関する情報を含む初期情報を、近距離無線Ｉ／Ｆ２０２を介して携帯端末１０３に送信する。
【００５７】
続いて、ステップＳ８０４で、制御部２０１は広域ネットワークＩ／Ｆ３０３を介した携帯端末１０３からの接続があるか否かを判断する。 携帯端末１０３からの接続がないと判断した場合、制御部２０１は引き続き近距離無線Ｉ／Ｆ２０２を介して以降の送受信を行うため、通信を切り替えることなくステップＳ８０６に進む。一方、接続が有ると判断した場合は、ステップＳ８０５で、制御部２０１は切替部２１４を制御し、広域ネットワークＩ／Ｆ２０３を介して携帯端末１０３との接続を行い、ステップＳ８０６に進む。
【００５８】
ステップＳ８０６で、制御部２０１は近距離無線Ｉ／Ｆ２０２又は広域ネットワークＩ／Ｆ２０３を介して操作情報の受信及び保存を行う。例えば、携帯端末１０３がリモートサーバ１０１から所定領域の範囲内に位置していれば近距離無線Ｉ／Ｆ２０２を用いて操作情報の送受が行われ、当該所定領域の範囲外に位置していれば、広域ネットワークＩ／Ｆ２０３を介して操作情報の送受が行われる。
ここで、図８Ｂを参照して、ステップＳ８０６の操作情報の受信及び保存の詳細な処理手順を説明する。ステップＳ８０６１で、制御部２０１は近距離無線Ｉ／Ｆ２０２又は広域ネットワークＩ／Ｆ２０３を介して携帯端末１０３から操作情報を受信する。続いて、ステップＳ８０６２で、制御部２０１は、受信した操作情報の中に詳細情報の取得要求があるか否かを判断する。詳細情報の取得要求があると判断された場合、制御部２０１はステップＳ８０６３に進み、広域ネットワークＩ／Ｆ２０３を介して広告情報データベース１０６から詳細情報要求に対応する詳細情報を取得し、ステップＳ８０６４に進む。そうでない場合は、制御部２０１はステップＳ８０６３の処理を実行することなくステップＳ８０６４に進む。ステップＳ８０６４で、制御部２０１は携帯端末１０３から受信した操作情報を操作情報データベース１０５に送信し、図８Ｂのフローチャートを終了する。その後、制御部２０１はステップＳ８０６を終了してステップＳ８０７に進む。
【００５９】
ステップＳ８０７で、制御部２０１は近距離無線Ｉ／Ｆ２０２又は広域ネットワークＩ／Ｆ２０３を介して詳細情報の送信を行う。ここで、図８Ｃを参照してステップＳ８０７の詳細な処理手順を説明する。ステップＳ８０７１で、制御部２０１は、広域ネットワークＩ／Ｆ２０３を介して広告情報データベースから詳細情報を受信したか否かを判断する。ステップＳ８０７１で詳細情報を受信していないと判断した場合、制御部２０１は、後述するＳ８０７２の処理を終了する。一方、詳細情報を受信したと判断した場合、ステップＳ８０７２に進み、制御部２０１は近距離無線Ｉ／Ｆ２０２又は広域ネットワークＩ／Ｆ２０３を介して詳細情報を携帯端末１０３に送信し、図８Ｃのフローチャートを終了し、ステップＳ８０８に進む。
【００６０】
次に、ステップＳ８０８で、制御部２０１は、一定期間内に携帯端末１０３から操作情報を受信したか否かを判断する。受信した場合、制御部２０１はステップＳ８０４に戻る。一方、一定期間内に携帯端末から操作情報を受信していない場合（タイムアウト）、制御部２０１は、ステップＳ８０８の処理を終了し、全体処理を終了する。
【００６１】
以上説明したように、本実施形態に係る広告情報配信システムは、広告を表示する表示装置と、表示装置を見たユーザによって使用される携帯端末と、本システムを統括的に制御するリモートサーバと、ユーザに配信する広告情報を蓄積する広告情報データベースと、ユーザが広告に対して取った行動を蓄積する操作情報データベースとを含む。また、本リモートサーバは、ユーザ端末を所持するユーザが所定領域の範囲内において近距離無線通信を行う第一の通信と、第一の通信より広域な範囲において通信を行う第二の通信とを行う。さらに、本リモートサーバは、第一の通信を用いて、所定領域の範囲内に位置するユーザ端末を検出し、表示内容の詳細情報を取得するためのアプリケーションをユーザ端末において起動させるトリガ信号を、検出したユーザ端末に送信する。その後、本リモートサーバは、リモートサーバとユーザ端末との位置関係に応じて第一の通信又は第二の通信を用い、アプリケーションを介して入力されたユーザの操作情報をユーザ端末から取得したり、アプリケーションから送信された広告要求に応じて詳細情報を送信したりする。これにより、ユーザが表示装置に表示されている広告の詳細情報に携帯端末からアクセスでき、ユーザと表示装置との距離に関わらずアクセスデータ（操作情報）を好適に収集することができる。例えば、交差点等の通行人が、その近傍のビルの屋上に設置されたデジタルサイネージの広告が視野にある状況で、当該通行人の携帯端末にアクセスして所定のプログラムを起動し、当該広告と連携した情報を提供することができる。また、その後において、通行人とリモートサーバとの位置に応じて通信方式を切り替えることにより、通行人が興味を持った広告情報等の情報を収集することができる。
【００６２】
＜変形例＞
本発明は、上記実施形態に限らず様々な変形が可能である。例えば、リモートサーバ１０１は出力部を有し、リモートサーバと対応する表示装置１０２、広告（当該表示装置１０２の表示内容の要旨）、又はビーコンなど、ユーザが取得しようとしている情報、又はユーザが接続しようとしているリモートサーバ１０１に関する情報を視覚又は聴覚によって通行人等のユーザに対して知覚可能に出力してもよい。これにより、携帯端末が接続しようとしているリモートサーバ１０１と連携した表示装置１０２をユーザに通知可能となることに加え、リモートサーバ１０１による広告効果も期待できる。
【００６３】
また、携帯端末のアプリケーションはトリガ信号によって起動された後に通信方法を近距離無線Ｉ／Ｆから広域ネットワークＩ／Ｆに切り替え、端末情報及びリモートサーバＩＤの送信、初期情報及び詳細情報の受信、操作情報の送信を行ってよい。これにより、接続断によるアプリケーションの応答速度の低下を避けることができる。
【００６４】
また、上記実施形態では、リモートサーバ１０１が、近距離無線通信（第一の通信手段）と、広域ネットワークによる通信（第二の通信手段）との何れかを介して、携帯端末１０３と通信を行う構成について説明した。しかし、本発明はこれに限定されず、例えば、リモートサーバ１０１は、近距離無線通信を介して携帯端末１０３と通信を行い、他のサーバ、例えば広告サーバ１０７が広域ネットワークにより通信を介して携帯端末１０３と通信を行うようにしてもよい。従って、操作情報や広告の詳細情報の送受については、携帯端末１０３と、広告サーバ１０７との間で行われてもよい。これにより、リモートサーバ１０１の負荷を低減することができ、複数の表示装置ごとに配置されたリモートサーバを介してアクセスした携帯端末の操作情報等を一括で収集することができる。
【符号の説明】
【００６５】
１０１：リモートサーバ、１０２：表示装置、１０３：携帯端末、１０４：ネットワーク、１０５：操作情報データベース、１０６：広告情報データベース、１０７：広告サーバ
【図１】
2019046169.tif 000003
【図２】
2019046169.tif 000004
【図３】
2019046169.tif 000005
【図４】
2019046169.tif 000006
【図５Ａ】
2019046169.tif 000007
【図５Ｂ】
2019046169.tif 000008
【図６Ａ】
2019046169.tif 000009
【図６Ｂ】
2019046169.tif 000010
【図７Ａ】
2019046169.tif 000011
【図７Ｂ】
2019046169.tif 000012
【図７Ｃ】
2019046169.tif 000013
【図８Ａ】
2019046169.tif 000014
【図８Ｂ】
2019046169.tif 000015
【図８Ｃ】
2019046169.tif 000016